(57)【要約】【課題】ハーネス型安全帯を装着した際、肩ベルトに負荷がかからない状態における肩ベルトのずれを防止し、肩ベルトに干渉されず、出し入れできる胸ポケットを有する作業服を提供する。【解決手段】襟側端部７が上下方向に直線状に延びる段差を設けて襟４との間に凹み作るように左右の前身頃２の肩に夫々縫い付けられたハーネス位置矯正体６と、前身頃２の胸部にはハーネス型安全帯の肩ベルトが通る位置を外れて中央側寄りに縦方向の開口部１０、１１を有する胸ポケット８、９とが設けられる。凹みによりハーネス型安全帯１５の肩ベルト１６が位置ズレすることが抑制される。また、肩ベルト１６の位置が安定し、これに干渉されず、胸ポケット８、９から物を出し入れできる。【選択図】  図４
0003212880.tif 000002
【実用新案登録請求の範囲】
【請求項１】
襟側端部が上下方向に直線状に延びる段差を設けて襟との間に凹みを作るように左右の前身頃の肩に夫々縫い付けられたハーネス位置矯正体と、前記前身頃の胸部にはハーネス型安全帯の肩ベルトが通る位置を外れて中央側寄りに縦方向の開口部を有する胸ポケットとが設けられ、前記凹みにより肩ベルトが位置ズレすることを抑制することを特徴とする作業服。
【請求項２】
請求項１に記載の作業服において、前記作業服は肩ヨークを有し、前記ハーネス位置矯正体の上端は前記肩ヨークの前記前身頃側縫い線に、袖側端部は袖ぐりに沿った形状で前記左右の前身頃に夫々縫い付けられていることを特徴とする作業服。
【請求項３】
請求項１に記載の作業服において、前記作業服は、太腿に相当する箇所の脇部に、カーゴポケットが縫着されており、カーゴポケットの開口部は前側の部位が後側の部位よりの下方に位置して前記ハーネス型安全帯の腿ベルトの下側に斜めに開口するズボンを有することを特徴とする作業服。
【考案の詳細な説明】
【技術分野】
【０００１】
本考案は、ハーネス型安全帯の肩ベルトのずれを防止する作業服に関するものである。
【背景技術】
【０００２】
高所作業者は墜落防止のために安全帯を装着する。ハーネス型安全帯は肩ベルトを腕に通し、胸ベルト、胴ベルト、腿ベルトの長さを調節しながら装着する。肩ベルトの前側は肩部の襟寄りから胸ポケットの位置を通り、腿ベルトは足の付け根に相当する部分である股ぐりの下部から腰の脇の位置を通る。
一般に、作業服の肩部分は張り及び保形性のため、ハーネス位置矯正体が縫着されている。そのハーネス位置矯正体は襟ぐりから袖ぐりまで肩線に沿って取り付けられている。（特許文献１参照）
【先行技術文献】
【特許文献】
【０００３】
【特許文献１】特開２０１５−８９９８５号公報
【考案の概要】
【考案が解決しようとする課題】
【０００４】
しかし、ハーネス型安全帯を装着した際、通常はベルト部分に負荷がかからず、そのような負荷のかからない肩ベルトに対しての配慮はなく、肩ベルトがずれる場合がある。また、作業服の胸ポケットは上部に開口部があり、ハーネス型安全帯を装着した際に、ベルトが開口部を塞ぎ、出し入れが難しいという問題があった。
そこで、本考案は、ハーネス型安全帯のベルトに負荷がかからない状態における肩ベルトのずれを防止し、肩ベルトに干渉されず、出し入れできる胸ポケットを有する作業服を提供することを目的とする。
【課題を解決するための手段】
【０００５】
上記目的を達成するために、本考案の作業服は、襟側端部が上下方向に直線状に延びる段差を設けて襟との間に凹み作るように左右の前身頃の肩に夫々縫い付けられたハーネス位置矯正体と、前記前身頃の胸部にはハーネス型安全帯の肩ベルトが通る位置を外れて中央側寄りに縦方向の開口部を有する胸ポケットとが設けられ、前記凹みによりハーネス型安全帯の肩ベルトが位置ズレすることを抑制することを特徴とする。
【考案の効果】
【０００６】
この考案によれば、ハーネス型安全帯のベルトに負荷がかからない状態の肩ベルトのずれを防止し、肩ベルトの位置に関わらず胸ポケット内へ出し入れできる。
【図面の簡単な説明】
【０００７】
【図１】本考案に係る作業服の正面図である。
【図２】胸ポケットの開口部を開いた状態の説明図である。
【図３】作業服のオプションとして付属するズボンの側面図であって、図３Ａは左側面図、図３Ｂは右側面図である。
【図４】ハーネス型安全帯を装着した状態の作業服の説明図である。
【考案を実施するための形態】
【０００８】
以下、本考案に係る作業服の一実施の形態について、図１〜図４に基づいて説明する。
図１、図４を参照し、ハーネス型安全帯１５を装着する前後の状態を比較しながら説明する。本考案に係る作業服１は左右の前身頃２、後身頃、肩ヨーク３、襟４、袖５等からなる。肩ヨーク３の左右の前身頃２の下方側の肩に、ハーネス位置矯正体６が縫着されている。
【０００９】
ハーネス位置矯正体６の襟側端部７は、襟４からの横方向に距離Ｌ１だけ離れて上下方向に直線状に延びている。ハーネス位置矯正体６の上端は肩ヨーク３の前身頃側縫い線に、袖側端部は袖ぐりに沿った形状になっており、意匠的に肩ヨーク３の一部として見えるように処理されている。襟４と襟側端部７の間が距離Ｌ１だけあくようにハーネス位置矯正体６を左右の前身頃２に夫々縫い付けているため、襟４と襟側端部７との間には凹みができている。ハーネス型安全帯１５を装着した場合には、肩ベルト１６は襟４と襟側端部７との間の凹みを通り、胸ポケット８、９の上を通り、脇腹から後方へ続くようになる。距離Ｌ１は装着する肩ベルト１６の幅に相当するものを選んでも良いが、肩ベルト１６の幅に近いものであれば、多少狭くても良い。襟４と襟側端部７との間の凹みに肩ベルト１６の大部分が落ち込めば、肩ベルト１６の位置ズレを抑制できるからである。
【００１０】
図２は右の胸ポケットの開口部１１を開いた状態の説明図である。左右の前身頃２の胸部には胸ポケット８、９が設けられている。胸ポケット８、９は中央側に縦方向の開口部１０、１１を有する。開口部１０、１１の位置は、ハーネス型安全帯１５を装着した場合に、肩ベルト１６が通る位置から外れており、肩ベルト１６の位置より中央側寄りである。図示例においては、胸ポケット８は、開口部１０にスライドファスナーを設けたポケット生地が縫着されている。胸ポケット９は、開口部１１として開口される上側の中央側端部を除く端部が縫着され、開口部１１には面ファスナーが設けられている。尚、胸ポケット８、９は、夫々生地８ａ、８ｂ及び生地９ａ、９ｂに分割縫合され、開口部１０、１１に沿った水平のライン８ｃ、９ｃが飾りとして表されている。
【００１１】
図１、３、４を参照し、作業服のオプションとして付属するズボンについて説明する。ズボン１２の太腿に相当する箇所の脇部に、カーゴポケット１３、１４が縫着されている。カーゴポケット１３、１４は、上部に開口部を有し、開口部は前側の部位が後側の部位よりの下方に位置して斜めに開口している。図示例においては、カーゴポケット１３は、開口部にスライドファスナーを設けたポケット生地が縫着されている。カーゴポケット１４は、ポケット生地の上端部を除く端部が縫着され、開口部にはフラップが設けられている。ハーネス型安全帯１５の腿ベルト１７は股ぐりの下部から腰の脇の位置を通る。カーゴポケット１４の開口部の位置は、腿ベルト１７が当たる股ぐりのさらに下方であり、斜めに開口することで腿ベルト１７が延在する形状に沿ったものとなっている。
【００１２】
本実施例の作業服１によれば、前身頃２に縫着されたハーネス位置矯正体６により、その厚さに相当する分だけ、襟側端部７と前身頃２との間で、襟４からの横方向に距離Ｌ１だけ離れて上下方向に延びる直線状の段差ができる。その結果、ハーネス位置矯正体６による段差と襟４と間には凹みが作られる。襟４とハーネス位置矯正体６の間に肩ベルト１６をあてると、ハーネス位置矯正体６の襟側端部７の段差と襟４との間に作られた凹みに肩ベルト１６が落ち込む。肩ベルト１６は、高所作業者が落下した場合などの非常時には大きな荷重がかかるが、平常時においては殆ど荷重がかからず、ズレやすいものとなっている。肩ベルト１６がこの凹みに落ちることにより、平常時における肩ベルト１６の収まりが良い。また、ハーネス位置矯正体６は、肩ヨーク３の一部として見えるように処理されているため、本実施例による作業服は、ハーネス型安全帯の着用を目的とするかしないかに拘わらず、どのような用途でも違和感無く着用可能である。
【００１３】
作業服１の胸ポケット８、９の開口部１０、１１は中央側で縦方向に開口しており、肩ベルト１６に邪魔されず、出し入れできる。また、肩ベルト１６は、ハーネス位置矯正体６により位置が安定しているため、肩ベルト１６が開口部１０、１１の位置にずれてしまうことも殆ど無い。
【００１４】
一方、ズボン１２のカーゴポケット１３、１４はズボン１２の腿ベルト１７が当たる部分の下方に存在するため、ハーネス型安全帯１５の腿ベルト１７に干渉されず、カーゴポケット１３、１４の物が出し入れできる。
【００１５】
上記実施例においては、胸ポケット８、９およびカーゴポケット１３、１４を左右に設けたが、左右どちらか一方だけ設けても良い。
【符号の説明】
【００１６】
１     作業服
２     前身頃
３     肩ヨーク
４     襟
５     袖
６     ハーネス位置矯正体
７     襟側端部
８、９     胸ポケット
８ａ、８ｂ     生地
９ａ、９ｂ     生地
８ｃ、９ｃ     ライン
１０、１１     開口部
１２     ズボン
１３、１４     カーゴポケット
１５     ハーネス型安全帯
１６     肩ベルト
１７     腿ベルト
Ｌ１     距離
【図１】
0003212880.tif 000003
【図２】
0003212880.tif 000004
【図３】
0003212880.tif 000005
【図４】
0003212880.tif 000006